(57)【要約】      （修正有）【課題】移動体の移動速度を比較的速くすることができる玩具用昇降装置を提供すること。【解決手段】直線状通路と、直線状通路の第１位置と第２位置との間を往復移動可能で、２つのラチェット爪が形成され所定の付勢力によって第1位置に向けて付勢された移動体と、直線状通路に沿って延在し移動体の各ラチェット爪に係合可能なラチェット歯１１aが形成され直線状通路の長さよりも短い範囲で往復動作する２つの送り部と、２つの送り部を互いの動作方向が反対となるように往復動作させる往復動作機構と、を備え、往復動作機構によってラチェット爪とラチェット歯との係合時に移動体２０を第1位置から第２位置まで移動させ、所定の付勢力によってラチェット爪とラチェット歯との係合解除時に移動体を第１位置まで移動させる。【選択図】図２
2020130963.tif 000002
【特許請求の範囲】
【請求項１】
直線状通路と、
前記直線状通路の第１位置と第２位置との間を往復移動可能で、複数のラチェット爪が形成され所定の付勢力によって前記第1位置に向けて付勢された移動体と、
前記直線状通路に沿って延在し前記移動体の各ラチェット爪に係合可能なラチェット歯が形成され前記直線状通路に沿って往復動作する複数の送り部と、
少なくとも２つの前記送り部を互いの動作方向が反対となるように往復動作させる往復動作機構と、を備え、
前記往復動作機構によって前記ラチェット爪と前記ラチェット歯との係合時に前記移動体を前記第1位置から前記第２位置まで移動させる、
ことを特徴とする玩具用送り装置。
【請求項２】
前記所定の付勢力によって前記ラチェット爪と前記ラチェット歯との係合解除時に前記移動体を前記第１位置まで移動させることを特徴とする請求項２に記載の玩具用送り装置。
【請求項３】
前記玩具用送り装置は昇降装置であり、前記直線状通路は上下方向に延在し、前記移動体は昇降台であり、前記第１位置は昇降台の下降位置であり、前記付勢力は重力であることを特徴とする請求項１又は請求項２に記載の玩具用送り装置。
【請求項４】
互いの動作方向が反対であるペアとなる前記送り部の前記往復動作機構は、前記ペアとなる前記送り部の下側に配置された１つの端面カムを備え、前記端面カムは回転軸が前記ペアとなる前記送り部の中間に配設され、前記１つの端面カムによって前記ペアとなる前記送り部を往復動作させることを特徴とする請求項１〜請求項３のいずれか一項に記載の玩具用送り装置。
【請求項５】
前記第１位置で前記ラチェット爪と前記ラチェット歯とを係合させる係合機構と、前記第２位置で前記ラチェット爪と前記ラチェット歯とを係合解除させる係合解除機構とを備えたことを特徴とする請求項１〜請求項４のいずれか一項に記載の玩具用送り装置。
【請求項６】
前記係合機構は、手動によって作動される第１レバーを介して前記ラチェット爪と前記ラチェット歯とを係合させることを特徴とする請求項５に記載の玩具用送り装置。
【請求項７】
前記係合解除機構は、前記移動体の上動によって作動される第２レバーを介して前記ラチェット爪と前記ラチェット歯とを係合解除させることを特徴とする請求項５又は請求項６に記載の玩具用送り装置。
【請求項８】
前記移動体の前記第２位置から前記第１位置への移動速度を調整する調速機構を備えたことを特徴とする請求項５〜請求項７のいずれか一項に記載の玩具用送り装置。
【請求項９】
前記調速機構は、前記移動体に設けられたアンクルと、前記直線状通路に沿って配設され前記アンクルに係合可能なラックとを備えたことを特徴とする請求項６に記載の玩具用送り装置。
【発明の詳細な説明】
【技術分野】
【０００１】
本発明は玩具用送り装置に関するものである。
【背景技術】
【０００２】
従来、玩具用送り装置としてタワー玩具の昇降装置が知られている（例えば、特許文献１）。この昇降装置は、枠体（昇降台）をスクリュー軸の螺旋状鍔部に係合させ、スクリュー軸を正逆転させることによって枠体を昇降させるものとなっている。
【先行技術文献】
【特許文献】
【０００３】
【特許文献１】実開昭６２−７８９９２号広報
【発明の概要】
【発明が解決しようとする課題】
【０００４】
ところで、タワー玩具の場合、構成部品を積み上げてタワー玩具を高くして枠体（昇降台）の移動域を上方に増したいことがある。この場合には、スクリュー軸を繋ぐ必要がある。
しかしながら、スクリュー軸自体は細いため曲がり易く、繋ぐのに繊細さが要求される。また、スクリュー軸を継ぎ足すには、スクリュー軸同士を螺合させ、スクリュー軸の螺旋状鍔部同士をぴったりと合わせなければならないが、その作業は煩雑である。また、使用時に正逆にスクリュー軸を回転させなければならないが、螺合の場合には、スクリュー同士が緩んでしまい、末端まで動力が確実に伝わらなくなるという問題があった。
【０００５】
本発明は、かかる問題点に鑑みなされたもので、移動体の移動域を簡単に増大させることができ、送り部の末端まで動力を確実に伝えることができる玩具用送り装置を提供することを目的とする。
【課題を解決するための手段】
【０００６】
第１の手段は、
直線状通路と、
前記直線状通路の第１位置と第２位置との間を往復移動可能で、複数のラチェット爪が形成され所定の付勢力によって前記第1位置に向けて付勢された移動体と、
前記直線状通路に沿って延在し前記移動体の各ラチェット爪に係合可能なラチェット歯が形成され前記直線状通路に沿って往復動作する複数の送り部と、
少なくとも２つの前記送り部を互いの動作方向が反対となるように往復動作させる往復動作機構と、を備え、
前記往復動作機構によって前記ラチェット爪と前記ラチェット歯との係合時に前記移動体を前記第1位置から前記第２位置まで移動させる、
ことを特徴とする。
【０００７】
第２の手段は、第１の手段であって、前記所定の付勢力によって前記ラチェット爪と前記ラチェット歯との係合解除時に前記移動体を前記第１位置まで移動させることを特徴とする。
【０００８】
第３の手段は、第１の手段又は第２の手段であって、前記玩具用送り装置は昇降装置であり、前記直線状通路は上下方向に延在し、前記移動体は昇降台であり、前記第１位置は昇降台の下降位置であり、前記付勢力は重力であることを特徴とする。
【０００９】
第４の手段は、第１の手段〜第３の手段のいずれか一の手段であって、互いの動作方向が反対であるペアとなる前記送り部の前記往復動作機構は、前記ペアとなる前記送り部の一端部近くに配置された１つの端面カムを備え、前記端面カムは回転軸が前記ペアとなる前記送り部の中間に配設され、前記１つの端面カムによって前記ペアとなる前記送り部を往復動作させることを特徴とする。
【００１０】
第５の手段は、第１の手段〜第４の手段のいずれか一の手段であって、前記第１位置で前記ラチェット爪と前記ラチェット歯とを係合させる係合機構と、前記第２位置で前記ラチェット爪と前記ラチェット歯とを係合解除させる係合解除機構とを備えたことを特徴とする。
【００１１】
第６の手段は、第５の手段であって、前記係合機構は、手動によって作動される第１レバーを介して前記ラチェット爪と前記ラチェット歯とを係合させることを特徴とする。
【００１２】
第７の手段は、第５の手段又は第６の手段であって、前記係合解除機構は、前記移動体の第２位置への移動によって作動される第２レバーを介して前記ラチェット爪と前記ラチェット歯とを係合解除させることを特徴とする。
【００１３】
第８の手段は、第５の手段〜第７の手段のいずれか一の手段であって、前記移動体の前記第２位置から前記第１位置への移動速度を調整する調速機構を備えたことを特徴とする。
【００１４】
第９の手段は、第８の手段であって、前記調速機構は、前記移動体に設けられたアンクルと、前記直線状通路に沿って配設され前記アンクルに係合可能なラックとを備えたことを特徴とする。
【発明の効果】
【００１５】
第１の手段によれば、往復動作機構によって複数の送り部を往復動作させることによって移動体を第２位置まで移動させるので、円滑に移動体を移動させることができる。また、移動体の移動域を増やすには、送り部の構成部品を移動方向に並べるだけで済み、スクリュー軸を繋ぐ場合のように繊細かつ煩雑な作業が不要である。また、使用時の緩みなどを考慮する必要がないため、送り部の末端まで動力を確実に伝えることができる
【００１６】
第２の手段によれば、所定の付勢力によって前記ラチェット爪と前記ラチェット歯との係合解除時に前記移動体を前記第１位置まで円滑に移動させることができる。
【００１７】
第３の手段によれば、移動体を円滑に昇降させることができる。
【００１８】
第４の手段によれば、１つの端面カムによってペアとなる送り部を往復動作させることができるので、構造が簡素で済むとともに、端面カムの形状によって移動体の第２位置までの移動速度を簡単に制御することができる。
【００１９】
第５の手段〜第７の手段によれば、ラチェット爪と前記ラチェット歯との係合や係合解除が比較的簡単に行えることになる。
【００２０】
第８の手段及び第９の手段によれば、第２位置に向かう移動体の速度を制御することができる。
【図面の簡単な説明】
【００２１】
【図１】実施形態の玩具用送り装置(玩具用昇降装置)を備えたタワーを示した斜視図である。
【図２】玩具用昇降装置の要部を示した斜視図である。
【図３】タワー枠体を側方から見た断面図である。
【図４】玩具用昇降装置の機構要部を示した斜視図である。
【図５】図4に示した機構要部の分解斜視図である。
【図６】図4に示した機構要部を裏側から見た斜視図である。
【図７】スライド体昇降機構を示した斜視図である。
【図８】スライド体昇降機構の動作を示したもので、互いに反対方向に動作する２つのスライド体の一方が上動された状態の作動図である。
【図９】スライド体昇降機構の動作を示したもので、互いに反対方向に動作する２つのスライド体の一方が上動された状態の作動図である。
【図１０】下部切換え機構を示した斜視図である。
【図１１】下部切換え機構の作動を示したもので、非作動状態を示した作動図である。
【図１２】下部切換え機構の作動を示したもので、作動状態を示した作動図である。
【図１３】上部切換え機構を示したもので、非作動状態を示した斜視図である。
【図１４】上部切換え機構の非作動状態を示した作動図である。
【図１５】上部切換え機構を示したもので、作動状態を示した斜視図である。
【図１６】上部切換え機構の作動状態を示した作動図である。
【発明を実施するための形態】
【００２２】
以下、実施形態の玩具用送り装置を図に基づいて説明する。この玩具用送り装置は玩具用昇降装置として構成されている。
【００２３】
図1に示すタワー１は、タワー本体２と、その周囲に螺旋状に設置された小型自動車玩具の通路３とを備えている。
【００２４】
タワー本体２は、図２に示すように、中心部に立設された２つのタワー枠体１０，１０によって構成されている。タワー枠体１０は、水平断面がコ字状を成しており、タワー本体２は、２つのタワー枠体１０、１０の開口部を互いに対向させることによって構成されている。タワー枠体１０の側壁内面には、図３に示すように、長尺の複数のスライド体１１から構成される送り部が上下動自在に保持されている。このスライド体１１の側面にはラチェット歯１１ａが形成されている。このスライド体１１によって、昇降台(移動体)２０が上方へ移動される。また、タワー枠体１０には、ラチェット歯１１ａが形成される側壁とは反対の側壁にラック１２が形成されている。
【００２５】
上記各部品は、タワー枠体１０間の中央を含む面に対して面対称の位置に配置されている。
【００２６】
昇降台２０は、図4に示すように、フレーム２１が上方に開口するコ字状を成している。フレーム２１の側壁外面には、軸２１ａによってラチェット爪形成体支持プレート（以下、「支持プレート」と称する）２２およびラチェット爪形成体２３が回動可能に保持され、支持プレート２２には軸２２ａが立設され、その軸２２ａによって調速体（アンクル）２４が回動自在に保持される。
【００２７】
支持プレート２２は、図５に示すように、両端にレバー当接部２２ｂ，２２ｃを有し、中間部に軸受けボス２２ｄを備え、その周辺部にばね受け２２ｅと軸受けボス２２ｄを中心にとする円弧孔２２ｆとが形成されている。また、裏面には、図６に示すように位置決め用切り欠き２２ｇ，２２ｈが形成されている。
そして、この支持プレート２２は、フレーム２１に立設した軸２１ａによって回動自在に保持される。そして、支持プレート２２は、フレーム２１に付設されたプレート２１ｂに圧縮ばね２５を介して保持された位置決めブロック２６が切り欠き２２ｇ，２２ｈのいずれかに係合することによって２つの位置に位置決めされる。
【００２８】
ラチェット爪形成体２３には、図５に示すように、下端にラチェット爪２３ａが形成されている。また、ラチェット爪形成体２３は、表面上端部に軸受け２３ｂ、中間部にばね受け２３ｃ、裏面にピン２３ｄを備えている。
そして、ラチェット爪形成体２３は、軸受け２３ｂに挿通されたフレーム２１の軸２１ａによって回動自在に支持され、軸受けボス２３ｂに巻回されたねじりコイルばね２７の一端を支持プレート２２のばね受け２２ｅに係止させ、他端をラチェット爪形成体２３のばね受け２３ｃに係止させ、それによって支持プレート２２に対して一方に付勢される。
【００２９】
このように構成されたアッセンブリは、フレーム２１の両側壁外面に、フレーム２１の両側面の中央を含む面に対して面対称の位置にそれぞれ設置されている。そして、図６に示すように、ラチェット爪２３ａがスライド体１１のラチェット歯１１ａに噛合される。この状態では、位置決めブロック２６が位置決め用切り欠き２２ｇに係合している。
【００３０】
そして、スライド体１１が上動すると、ラチェット歯１１ａ，ラチェット爪２３ａを介して昇降台２２が上動される。位置決めブロック２６が切り欠き２２ｈに係合された場合には、支持プレート２２はねじりコイルばね２７の付勢力に抗して回動され、円弧孔２２ｆの端面，ピン２３ｄを介してラチェット爪２３ａがラチェット歯１１ａから離反して係合解除される。ラチェット爪２３ａとラチェット歯１１ａとの係合解除は後述する係合解除機構４０によって、また、ラチェット爪２３ａとラチェット歯１１ａとの係合は係合機構４１によって行われる。
【００３１】
２つのスライド体１１，１１の下方には、図７〜図９に示すように、２つのスライド体１１，１１に差し渡すようにしてシーソ部材３１が設置され、このシーソ部材３１の下面には端面カム３２が設置されている。このシーソ部材３１および端面カム３２はスライド体昇降機構(往復動作機構)３０の一部を成す。
【００３２】
このスライド体昇降機構３０では、端面カム３２が回転され、図８に示すように、山部が左方に回動すると、シーソ部材３１の左端が上動され、それによって左側のスライド体１１が上動される。その際、右側のスライド体１１はシーソ部材３１の右端に伴って下降する。また、図９に示すように、カム３２の山部が右方に回動すると、シーソ部材３１の右端が上動され、それによって右側のスライド体１１が上動される。その際、左側のスライド体１１はシーソ部材３１の左端に伴って下降する。
【００３３】
この端面カム３２は、図７に示すように、ベースに設置された歯車列３３を介し昇降作動ハンドル３４の回転によって回転される。
【００３４】
上記したように、左右のスライド体１１，１１は互いの動作方向が反対となるように上下動されるので、上動するスライド体１１のラチェット歯１１ａに噛合するラチェット爪２３ａを介して昇降台２０が上動される。なお、左右一方のスライド体１１が上動するときには、他方のスライド体１１は下降することになるが、ラチェット爪２３ａがラチェット歯１１ａから逃げるため、昇降台２０はその下降するスライド体１１の影響はほとんど受けることはない。
【００３５】
また、昇降台２０は、タワー枠体１０の下端部においてラチェット爪２３ａとラチェット歯１１ａとを係合させる係合機構４０ａと、タワー枠体１０の上端部においてラチェット爪２３ａとラチェット歯１１ａとの係合を解除する係合解除機構４０ｂとを備えている。
【００３６】
係合機構４０ａは、図１１に示すように、支持プレート２２を作動させる作動レバー４１を備えている。作動レバー４１は、その軸４１ａ（図１０）に固定された舌片４１ｂを操作レバー４２によって作動する。この操作レバー４２は操作ボタン４３を押し込むことによって作動される。昇降台２０は、図１１に示す状態で下降する。
【００３７】
昇降台２０は、図１１に示す状態で操作ボタン４３を押下すると、作動レバー４２は軸４２ａを中心にして反時計方向に回動され、支持プレート２２を時計方向に回動させる。その結果、ラチェット爪２３ａが図１２に示すように、ラチェット歯１１ａに噛合する。
【００３８】
係合解除機構４０ｂは、図１３〜図１６に示すようにタワー枠体１０の上端に設けられている。この係合解除機構４０ｂでは、作動レバー４４が軸４４ａによってタワー枠体１０に回動自在に支持され、引張りばね４５によって一方に付勢されている。この作動レバー４４には舌片４４ｂが付設されている。一方、昇降台２０には１本の作動ロッド４６が支持されている。そして、作動レバー４４は引張りばね４５によって、図１４に示すように、軸４４ａを中心にして反時計方向に付勢され、常態において下端がラチェット歯１１ａから離れる方向に位置されている。
【００３９】
この状態で、昇降台２０が上昇すると、図１６に示すように作動ロッド４６が舌片４４ｂを介して作動レバー４４を引張りばね４５の付勢力に抗して回動させる。すると、この作動レバー４４によって支持プレート２２が回動され、ラチェット爪２３ａをラチェット歯１１ａから離反させる。
【００４０】
上記作動レバー４４は、タワー枠体１０間の中央を含む面に対して面対称の位置に配置されている。２つの作動レバー４４，４４は１つの軸４４aによって連結され、一体的に動作する。
【００４１】
このように構成された玩具用昇降装置を備えたタワー１では、昇降台２０が図１１に示した最下位置において、ラチェット爪２３ａがラチェット歯１１ａに噛合している状態で、操作ハンドル３４を回転させると、上下動するスライド体１１によって上方へ移動される。そして、昇降台２０が通路３の上部出口に達したときに、操作ハンドル３４の回転を止め、昇降台２０上の小型自動車玩具を排出させる。そして、さらに操作ハンドル３４を回転させて昇降台２０を上動させ、昇降台２０がタワー枠体１０の上端に達すると、係合解除機構４０ｂによって、昇降台２０のラチェット爪２３ａがラチェット歯１１ａから離反される。したがって、昇降台２０は、自重で落下することになる。
【００４２】
この実施形態の玩具用昇降装置では、昇降台２０の落下速度を抑制するために、調速体(アンクル)２４を備えている。調速体２４は両端に爪２４ａを備え、その爪２４ａの一方をタワー枠体１０に形成したラック１２に係合させることによって落下速度を抑制する。
【００４３】
ここで、調速体２４を回転自在に支持する軸２２ａは、その移動軌跡が、図４において、軸２１ａを中心にして反時計方向に回動する場合に、ラック１２に近づく方向に移動するように配設されている。すなわち、ラチェット爪２３ａがラチェット歯１１ａに噛合しているとき（昇降台２０が上動されているとき）には、図１２に示すように調速体２４の歯２４ａはラック１２から離反した状態にあり、ラチェット爪２３ａがラチェット歯１１ａから離反している状態（昇降台２０が下降している状態）では、図１１に示すように、調速体２４の歯２４ａのいずれか一方がラック１２に噛合した状態になる。これによって、昇降台２０は、調速体２４によって下降速度が制御される。
【００４４】
以上、本発明の実施形態について説明したが、本発明は、かかる実施形態に限定されず、種々の変形が可能であることは言うまでもない。
例えば、上記実施形態では、昇降台２０を往復移動させる場合について説明したが、往復移動させる対象は昇降台に限定されるむものではなく移動体一般に適用できる。
また、上記実施形態では、昇降台２０を上下方向に往復移動させる場合について説明したが、水平方向や斜め方向に移動体を移動させる場合にも適用できる。この場合、必要があれば、移動体やスライド体を付勢するばねやゴム等の付勢手段を設けてもよい。
さらに、上記実施形態では、２つの送り部の各々を複数のスライド体１１によって構成したが、場合によっては、各送り部を１つ又は３つ以上のスライド体１１によって構成することができる。ただし、複数のスライド体１１によって構成可能とすることで、例えば、タワー１の高さを変更する場合にもスライド体１１を継ぎ足すことによって移動体の移動距離を簡単に増やすことができる。
【符号の説明】
【００４５】
１    タワー
２    タワー本体
１０    タワー枠体
１１    スライド体（送り部）
１１ａ    ラチェット歯
１２    ラック
２０    昇降台（移動体）
２３    ラチェット爪形成体
２３ａ    ラチェット爪
２４    調速体（アンクル）
３０    スライド体昇降機構（往復動作機構）
３２    端面カム
４０ａ    係合機構
４０ｂ    係合解除機構
４１    作動レバー
４２    操作レバー
４４    作動レバー
【図１】
2020130963.tif 000003
【図２】
2020130963.tif 000004
【図３】
2020130963.tif 000005
【図４】
2020130963.tif 000006
【図５】
2020130963.tif 000007
【図６】
2020130963.tif 000008
【図７】
2020130963.tif 000009
【図８】
2020130963.tif 000010
【図９】
2020130963.tif 000011
【図１０】
2020130963.tif 000012
【図１１】
2020130963.tif 000013
【図１２】
2020130963.tif 000014
【図１３】
2020130963.tif 000015
【図１４】
2020130963.tif 000016
【図１５】
2020130963.tif 000017
【図１６】
2020130963.tif 000018
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
直線状通路と、
前記直線状通路の第１位置と第２位置との間を往復移動可能で、複数のラチェット爪が形成され所定の付勢力によって前記第1位置に向けて付勢された移動体と、
前記直線状通路に沿って延在し前記移動体の各ラチェット爪に係合可能なラチェット歯が形成され前記直線状通路に沿って往復動作する複数の送り部と、
少なくとも２つの前記送り部を互いの動作方向が反対となるように往復動作させる往復動作機構と、を備え、
前記往復動作機構によって前記ラチェット爪と前記ラチェット歯との係合時に前記移動体を前記第1位置から前記第２位置まで移動させる、
ことを特徴とする玩具用送り装置。
【請求項２】
前記所定の付勢力によって前記ラチェット爪と前記ラチェット歯との係合解除時に前記移動体を前記第１位置まで移動させることを特徴とする請求項１に記載の玩具用送り装置。
【請求項３】
前記玩具用送り装置は昇降装置であり、前記直線状通路は上下方向に延在し、前記移動体は昇降台であり、前記第１位置は昇降台の下降位置であり、前記付勢力は重力であることを特徴とする請求項１又は請求項２に記載の玩具用送り装置。
【請求項４】
互いの動作方向が反対であるペアとなる前記送り部の前記往復動作機構は、前記ペアとなる前記送り部の一端部近くに配置された１つの端面カムを備え、前記端面カムは回転軸が前記ペアとなる前記送り部の中間に配設され、前記１つの端面カムによって前記ペアとなる前記送り部を往復動作させることを特徴とする請求項１〜請求項３のいずれか一項に記載の玩具用送り装置。
【請求項５】
前記第１位置で前記ラチェット爪と前記ラチェット歯とを係合させる係合機構と、前記第２位置で前記ラチェット爪と前記ラチェット歯とを係合解除させる係合解除機構とを備えたことを特徴とする請求項１〜請求項４のいずれか一項に記載の玩具用送り装置。
【請求項６】
前記係合機構は、手動によって作動される第１レバーを介して前記ラチェット爪と前記ラチェット歯とを係合させることを特徴とする請求項５に記載の玩具用送り装置。
【請求項７】
前記係合解除機構は、前記移動体の上動によって作動される第２レバーを介して前記ラチェット爪と前記ラチェット歯とを係合解除させることを特徴とする請求項５又は請求項６に記載の玩具用送り装置。
【請求項８】
前記移動体の前記第２位置から前記第１位置への移動速度を調整する調速機構を備えたことを特徴とする請求項５〜請求項７のいずれか一項に記載の玩具用送り装置。
【請求項９】
前記調速機構は、前記移動体に設けられたアンクルと、前記直線状通路に沿って配設され前記アンクルに係合可能なラックとを備えたことを特徴とする請求項８に記載の玩具用送り装置。